(57)【要約】【課題】本発明は、安価でかつ簡略な構成で、防液堤を省略できるＰＣ地上タンクの液密・気密構造を提供する。【解決手段】液密気密シート７は、貯蔵された極低温液体が触れた場合にも損傷することのないアルミシート等が用いられた金属シート８と、強度補強を目的に用いられるガラス繊維等の繊維シート９が、低温用エポキシ樹脂等の接着剤を介して貼着されることにより形成される。液密気密シート７は、ＰＵＦパネル４の一方の面に貼着されて、ＰＣ防液壁２とメンブレン５との間に挿入されるが、液密気密シート７は、メンブレン５と当接する側に配置されて、ＰＣ地上タンク１の側壁１ａが形成される。【選択図】　図１
2004019920.tif 000002
【特許請求の範囲】
【請求項１】
外周部にＰＣ防液壁、内周部にメンブレンを配置した側壁が備えられた極低温液体を貯蔵するＰＣ地上タンクの液密・気密構造であって、
前記ＰＣ防液壁とメンブレンとの間には、金属シート、及び繊維シートを積層して形成された液密気密シートが備えられることを特徴とするＰＣ地上タンクの液密・気密構造。
【発明の詳細な説明】
【０００１】
【発明の属する技術分野】
本発明は、防液堤を省略できるＰＣ地上タンクの液密・気密構造に関する。
【０００２】
【従来の技術】
従来より、低温液体ガス等の極低温液体１０を貯蔵するＰＣ地上タンク１の側壁１ａは、図３に示すように、基礎版１１上で外周部にＰＣ防液壁２、内周部にメンブレン５が配置され、両者の間には断熱材である硬質ウレタンフォーム（以降、ＰＵＦパネルと称す）４及び常温用ライナー３が配置された構成を有している。このような側壁１ａは、液密・気密性能を備えた層がメンブレン５のみであるため、メンブレン５に損傷等の不具合が生じた際には、損傷箇所から漏洩した極低温液体１０は、ＰＣ防液壁２の外方へ漏洩することが考えられる。このため、ＰＣ地上タンク１の周囲には、万一これらが漏洩しても周辺に拡散させないことを目的に、コンクリート造の防液堤６が別途設けられている。
なお、常温用ライナー３は、ＰＵＦパネル４の外周部における防湿材として機能する炭素鋼であり、極低温液体１０が触れた場合には劣化する可能性が高く液密・機密性能が期待できない。
【０００３】
【発明が解決しようとする課題】
しかし、このような防液堤６の構築には、広大な敷地が必要になるとともに、作業工程も増えることとなるため、工期の長期化やコストの増大等が生じ、防液堤６を不要とするような、液密・気密性の高いＰＣ地上タンク１が求められている。
【０００４】
上記事情に鑑み、本発明は、安価でかつ簡略な構成で、防液堤を省略できるＰＣ地上タンクの液密・気密構造を提供することを目的としている。
【０００５】
【課題を解決するための手段】
請求項１記載のＰＣ地上タンクの液密・気密構造は、外周部にＰＣ防液壁、内周部にメンブレンを配置した側壁が備えられた極低温液体を貯蔵するＰＣ地上タンクの液密・気密構造であって、前記ＰＣ防液壁とメンブレンとの間には、金属シート、及び繊維シートを積層して形成された液密気密シートが備えられることを特徴としている。
【０００６】
【発明の実施の形態】
以下、本発明のＰＣ地上タンクの液密・気密構造について、図１及び図２を用いて詳述する。本発明は、ＰＣ地上タンクの側壁を構成し、外周部に位置するＰＣ防液壁と内周部に位置するメンブレンとの間に液密気密シートを備え、側壁に液密・気密性能を保持できる層を２重に設けることで、ＰＣ地上タンクの液密・気密構造の高性能化を図るものである。
【０００７】
図１（ａ）に示すように、ＰＣ地上タンク１の液密・気密構造は、側壁１ａに、ＰＣ防液壁２と、ＰＵＦパネル４と、液密気密シート７と、メンブレン５が、外周部から内周部に向かって層状に配することにより形成されている。中でも、ＰＣ防液壁２、ＰＵＦパネル４、及びメンブレン５は、従来のＰＣ地上タンク１の側壁に用いられていたものと同様のもので、メンブレン５は、熱収縮を吸収しながら液密・気密性を保持するステンレス製薄膜であり、ＰＵＦパネル４は、極低温液体を貯蔵しているメンブレン５の外周面に設けられて、断熱材および支持材として用いられるものである。これらの層を囲うように、プレキャストコンクリート造のＰＣ防液壁２が設けられて、ＰＣ地上タンク１の側壁１ａを構成している。
【０００８】
一方、前記液密気密シート７は、メンブレン５に加えて、気密・液密性能を有する第２の層として用いられているもので、図１（ｂ）に示すように、金属シート８と繊維シート９が層状に重ね合わされて形成されている。前記金属シート８は、貯蔵された極低温液体１０が触れた場合にも損傷することのないアルミシートが用いられており、気密・液密性能を有するものである。また、繊維シート９は、前記金属シート８に対して外力が作用した際の強度補強を目的に用いられるもので、本実施の形態ではガラス繊維が用いられている。これら繊維シート９が、低温用エポキシ樹脂等の接着剤を介して前記金属シート８の何れか一方の面全面に貼着されて積層されることにより、液密気密シート７が形成されることとなる。本実施の形態では、金属シート８の何れか一方の面全面に繊維シート９を貼着したが、これにこだわるものではなく、金属シート８を芯としてその両面に繊維シート９を貼着する構成としても良い。
【０００９】
なお、前記金属シート８及び繊維シート９は、上述する材料にこだわるものではなく、金属シート８は、極低温液体が触れた場合にも損傷することがなく液密・機密性能に優れている、また、繊維シート９は金属シート８に対して外力が作用した際の強度補強となる、といった各々の機能を満足できる材料であれば、何れを用いても良い。
また、液密気密シート７は、金属シート８が外力に抵抗できる材料であれば繊維シート９を用いない構成としても良い。一方で、液密気密シート７に柔軟性等の効果を持たせるために金属シート８と繊維シート９との間に極低温用の極低温用のゴムシートを介在させてもよい。
【００１０】
上述するように形成された液密気密シート７は、前記ＰＵＦパネル４とともに層をなして、前記ＰＣ防液壁２とメンブレン５との間に配されて、ＰＣ地上タンク１の側壁１ａを形成することとなる。その配置は、図１（ａ）に示すように、液密気密シート７をメンブレン５と接する側に、ＰＵＦパネル４をＰＣ防液壁２と接する側に配置している。なお、これら液密気密シート７とＰＵＦパネル４の配置に際し、液密気密シート７は、シート状に成形されているため、あらかじめ前記ＰＵＦパネル４の一方の面に液密気密シート７をいずれかの貼着手段により貼着した上で、前記メンブレン５とＰＣ防液壁２との間に挿入すればよい。
このような液密気密シート７の配置位置は、上述する位置にこだわるものではなく、例えば、図２（ａ）に示すように、ＰＵＦパネル４を厚さ方向に２分割し、両者の間に挟み込むように液密気密シート７を配置してこれらを貼着手段を介して貼着した上で、前記ＰＣ防液壁２とメンブレン５との間に配しても良い。また、図２（ｂ）に示すように、ＰＵＦパネル４をメンブレン５と接する側に、液密気密シート７をＰＣ防液壁２と接する側に配置してもよい。この場合においても、前記ＰＵＦパネル４の一方の面に液密気密シート７を貼着手段により貼着した上で、前記メンブレン５とＰＣ防液壁２との間に挿入すれば良い。
【００１１】
上述する何れの場合にもＰＣ地上タンク１の側壁１ａに、メンブレン５と液密気密シート７よりなる２重の液密・気密層が形成されることから、メンブレン５に何らかの不具合が生じ損傷が発生した場合にも、その外方に配置されている液密気密シート７の液密・機密性能により極低温液体１０が漏出することがないため、ＰＣ地上タンク１の周囲には防液堤を設ける必要がない。
なお、図２（ｂ）に示すように、ＰＣ防液壁２にＰＵＦパネル４が当接して配置されていない構成では、万が一極低温液体１０がメンブレン５より漏洩し、液密気密シート７に抵触した際には、液密気密シート７を介してＰＣ防液壁２の部材温度が極低温になり劣化することが考えられる。このため、ＰＣ防液壁２は安全性を考慮し部材厚を大きく取る必要がある。これらを鑑みると、ＰＣ地上タンク１の液密・気密構造は、側壁１ａの構築に際し、ＰＣ防液壁２に対して余剰な鉄筋量及びコンクリート量を用いる必要のない、図１（ｂ）または図２（ａ）に示すようなＰＣ防液壁２にＰＵＦパネル４が当接されている配置構成が最も好ましい。
【００１２】
また、上述する構成はあくまでも一つの例示であり、本発明の趣旨を逸脱しない限り、本実施の形態に限定されずにいかなる形態をも採用しうることは言うまでもない。例えば、本実施の形態では、側壁１ａに液密気密シート７を採用しているが、基礎版１１とメンブレン５との間にも液密気密シート７を採用しても良い。
【００１３】
上述する構成によれば、ＰＣ地上タンク１の液密・気密構造は、側壁１ａに、メンブレン５と液密気密シート７よりなる２重の液密・気密層が形成されることから、メンブレン５に何らかの不具合が生じ損傷が発生した場合にも、その外方に配置されている液密気密シート７の液密・機密性能により、貯蔵された極低温液体１０が漏出することがないため、ＰＣ地上タンク１の周囲には防液堤を設ける必要がなく、広大な敷地を要しないとともに、工費削減、工期短縮に大きく寄与することが可能となる。
また、液密気密シート７がシート状に成形されているため、ＰＵＦパネル４にあらかじめ貼着して用いることにより、容易にＰＣ防液壁２とメンブレン５との間に配置することができ、作業性が良く施工性を向上することが可能となる。
【００１４】
【発明の効果】
請求項１記載のＰＣ地上タンクの液密・気密構造によれば、外周部にＰＣ防液壁、内周部にメンブレンを配置した側壁が備えられた極低温液体を貯蔵するＰＣ地上タンクの液密・気密構造であって、前記ＰＣ防液壁とメンブレンとの間には、金属シート、及び繊維シートを積層して形成された液密気密シートが備えられることから、側壁に２重の液密・気密層が形成されることとなり、メンブレンに何らかの不具合が生じ損傷が発生した場合にも、その外方に配置されている液密気密シートの液密・機密性能により極低温液体が漏出することがないため、ＰＣ地上タンクの周囲には防液堤を設ける必要がなく、広大な敷地を要しないとともに、工費削減、工期短縮に大きく寄与することが可能となる。
【図面の簡単な説明】
【図１】本発明に係るＰＣ地上タンクの概略を示す図である。
【図２】本発明に係るＰＣ地上タンクのの側壁の他の事例を示す図である。
【図３】従来のＰＣ地上タンクの概略を示す図である。
【符号の説明】
１　ＰＣ地上タンク
１ａ　側壁
２　プレーキャストコンクリート壁
３　常温用ライナー
４　硬質ウレタンフォーム（ＰＵＦパネル）
５　メンブレン
６　防液堤
７　液密気密シート
８　金属シート
９　繊維シート
１０　極低温液体
１１　基礎版
【図１】
2004019920.tif 000003
【図２】
2004019920.tif 000004
【図３】
2004019920.tif 000005